(57)【特許請求の範囲】
【請求項１】
コネクタハウジングに突設されたタブを有するコネクタに、巻線端末を前記タブに設続して構成される小型電動機において、
タブの先端部の側面に第一の切り欠け部を設け、この第一の切り欠け部と対向する側面よりもさらに先端側に第二の切り欠け部を設け、前記第二切り欠け部によって形成された突出部をタブのおもて面に対して直角にタブのおもて面側に折り曲げるように巻線ガイド部を設け、
巻線端末を前記第一の切り欠け部に通し、前記タブのおもて面上に配設し、さらに、前記第二の切り欠け部を通して、前記タブの裏面に突出させて、
タブの先端を巻線ガイド部と共にタブのおもて面が谷側になるようにコネクタハウジング側に折り曲げて、巻線端末をタブに挟持し、巻線ガイド部により裏面に対してほぼ直角に突出するように固定したことを特徴とする小型電動機。
【発明の詳細な説明】
【０００１】
【産業上の利用分野】
コネクタハウジングに突設されたタブを有するコネクタに、巻線端末を前記タブに接続して構成される小型電動機に関する。
【０００２】
【従来の技術】
従来の小型電動機に備えられているコネクタのタブの構造、および、巻線端末とタブの接続方法を図６〜図１１を用いて説明する。図６は、従来のタブにおける巻線端末との接続部分の展開図である。
【０００３】
図において、タブ３０は、鋼板を長方形状に打ち抜いて形成されている。またこのタブ３０の一方の先端部には、タブ３０の長手方向の側面に対して直角に突設された保持部３０ａを有している。
【０００４】
図７は、従来におけるコネクタハウジングをモールド形成する際のモールド金型のタブ取り付け部分の断面図である。図８は、モールド金型をタブの先端側より見た部分上面図である。
【０００５】
図において、複数個のタブ３０を並列に並べ、そして、各タブ３０のＣ部をモールド金型３１の歯部３１ａで挟持して、モールド金型３１にタブ３０を固定する。また、コネクタのサイズを小型化するために各タブ３０は、近接して並べられている。したがって、タブ３０の保持部３０ａは、隣接するタブ３０に接触しないようにある程度折り曲げられている。
【０００６】
そして、このモールド金型３１内に樹脂４０を注入してコネクタハウジングを形成し、タブ３０とコネクタハウジング３３で雄型のコネクタを構成する。
【０００７】
図９は、従来におけるコネクタの巻線接続部分の正面図である。図１０は、従来におけるコネクタの巻線接続部分の側面図である。
【０００８】
図において、コネクタ３２のコネクタハウジング３３より突設されたタブ３０の先端部に巻線端末３４ａを配設し、保持部３０ａを巻線端末３４ａを挟持するまで折り曲げ、タブ３０と巻線端末３４ａを電気的に接続する。
【０００９】
図１１は、従来におけるコネクタを備えた小型電動機の部分断面図である。
【００１０】
図において、小型電動機３５は、プリミックス３６によりモールド形成されたフレーム３７を備えている。このフレーム３７内には、巻線３４が施された固定子３８と、図９および図１０に示したようにタブ３０に巻線端末３４ａが接続されたコネクタ３２の一部が埋設されている。
【００１１】
【発明が解決しようとする課題】
近年、小型電動機は、より小型な電動機を要求されている。したがって、コネクタ端子を備えた小型電動機においても例外ではない。しかしながら、図１１のように構成された小型電動機３５において、例えば、フレームの軸方向の長さＬ２を短くするためには、従来のタブ３０を備えたコネクタ３２では、モールド金型３１の歯部３１ａ、および、巻線端末３４ａとタブ３０との接触面積を変更することなくコネクタハウジング３３からのタブ３０の突出長Ｙを短くすることは、困難である。つまり、この場合、フレームを短くすることができない。
【００１２】
【課題を解決するための手段】
そこで、本発明によれば、タブの先端部の側面に第一の切り欠け部を設け、この第一の切り欠け部と対向する側面よりもさらに先端側に第二の切り欠け部を設け、前記第二切り欠け部によって形成された突出部をタブのおもて面に対して直角にタブのおもて面側に折り曲げるように巻線ガイド部を設け、巻線端末を前記第一の切り欠け部に通し、前記タブのおもて面上に配設し、さらに、前記第二の切り欠け部を通して、前記タブの裏面に突出させて、タブの先端を巻線ガイド部と共にタブのおもて面が谷側になるようにコネクタハウジング側に折り曲げて、巻線端末をタブに挟持し、巻線ガイド部により裏面に対してほぼ直角に突出するように固定したことを特徴とする小型電動機を提供するものである。
【００１３】
【作用】
巻線端末をタブの第一の切り欠け部を通して、タブのおもて面上を斜めに沿わせながら第二の切り欠け部に通すことにより、巻線端末をタブのおもて面に配設し、巻線端末をタブの裏面に突出させる。
【００１４】
そして、タブの先端をコネクタハウジング側に、また、タブのおもて面が谷側になるようにしてタブを折り曲げることにより、巻線端末をタブに固定する。
【００１５】
【実施例】
本発明における一実施例を図１〜図４を用いて説明する。図１は、本発明のタブにおける巻線端末との接続部分の展開図である。
【００１６】
図において、タブ１は、鋼板を長方形状に打ち抜いて形成されている。また、タブ１の一方の先端部には、２カ所の切り欠け部が設けられている。１つは、タブ１の長手方向の側面部でタブ１の中央寄りに設けられた第一の切り欠け部１ａで、１つは、この第一の切り欠け部１ａと対向した側面部よりさらに先端寄りに設けられた第二の切り欠け部１ｂである。
【００１７】
また、第二の切り欠け部１ｂは、Ｌ字状に打ち抜かれており、巻線ガイド部２が突設されている。この巻線ガイド部２は、タブ１のおもて面に対してほぼ直角にタブ１のおもて面側に折り曲げられている。
【００１８】
図２は、本発明におけるコネクタハウジングをモールド形成する際のモールド金型のタブ取り付け部分の断面図である。
【００１９】
図において、タブ１のＡ部をモールド金型３の歯部３ａで挟持して、タブ１をモールド金型３に固定する。そして、モールド金型３内に樹脂７を流入してコネクタハウジング５を形成し、タブ１とコネクタハウジング５で雄型のコネクタを構成する。
【００２０】
図３は、本発明におけるコネクタの巻線接続部分の正面図である。図４は、本発明におけるコネクタの巻線接続部分の側面図である。
【００２１】
図において、コネクタ４のコネクタハウジング５より突設されたタブ１の先端部に巻線端末６ａを配設する。このとき、各タブ１間の間隔を小さくするため、各タブ１２カ所の切り欠け部を設けることで、巻線端末６ａをタブ１の裏面から導いて、タブ１のおもて面を通して、再度、裏面に導く。
【００２２】
つまり、巻線端末６ａは、第一の切り欠け部１ａを通して、タブ１のおもて面上を斜めに沿わせながら第二の切り欠け部１ｂに通す。そして、タブ１の先端をコネクタハウジング５側に折り曲げる。このとき、タブ１のおもて面が谷側になるようにして、巻線端末６ａを挟持するまで折り曲げ、タブ１と巻線端末６ａを電気的に接続する。
【００２３】
また、タブ１を折り曲げることにより、タブ１の裏面に突出した巻線端末６ａは、巻線ガイド部２により裏面に対してほぼ直角に突出するように固定される。そして、この突出した巻線端末６ａをＢ点で切断する。
【００２４】
図５は、本発明におけるコネクタを備えた小型電動機の部分断面図である。
【００２５】
図において、小型電動機８は、プリミックス９によりモールド形成されたフレーム１０を備えている。このフレーム１０内には、巻線６が施された固定子１１と、図３および図４に示したようにタブ１に巻線端末６ａが接続されたコネクタ４の一部が埋設されている。
【００２６】
以上のように構成された小型電動機８において、例えば、タブの突出長Ｘは、図１１における従来のタブの突出長Ｙよりも短く抑えることができるため、フレームの長さＬ１は、図１１におけるフレームの長さＬ２よりも短くすることができる。
【００２７】
【発明の効果】
本発明によれば、コネクタハウジングのモールド形成時におけるタブを挟持するモールド金型の歯部の長さ、および、巻線端末とタブとの接触面積を変更することなく、コネクタハウジングからのタブの突出長を短くすることができる。つまり、従来のタブにおいて、モールド金型の歯部にて挟持されている部分は、有効利用されていない。しかしながら、本発明におけるタブは、モールド金型の歯部にて挟持されている部分は、巻線端末の接続部として使用しているため、タブの突出長を短くすることができる。
【００２８】
【図面の簡単な説明】
【図１】  本発明のタブにおける巻線端末との接続部分の展開図。
【図２】  本発明におけるコネクタハウジングをモールド形成する際のモールド金型のタブ取り付け部分の断面図。
【図３】  本発明におけるコネクタの巻線接続部分の正面図。
【図４】  本発明におけるコネクタの巻線接続部分の側面図。
【図５】  本発明におけるコネクタを備えた小型電動機の部分断面図。
【図６】  従来のタブにおける巻線端末との接続部分の展開図。
【図７】  従来におけるコネクタハウジングをモールド形成する際のモールド金型のタブ取り付け部分の断面図。
【図８】  モールド金型をタブの先端側より見た上面図
【図９】  従来におけるコネクタの巻線接続部分の正面図。
【図１０】  従来におけるコネクタの巻線接続部分の側面図。
【図１１】  従来におけるコネクタを備えた小型電動機の部分断面図。
【符号の説明】
１、３０・・・タブ    ２・・・巻線ガイド部
３、３１・・・モールド金型    ４、３２・・・コネクタ
５、３３・・・コネクタハウジング    ６、３４・・・巻線
６ａ、３４ａ・・・巻線端末    ７、４０・・・樹脂
８、３５・・・小型電動機    ９、３６・・・プリミックス
１０、３７・・・フレーム    １１、３８・・・固定子
１２・・・ベアリングブラッケット    １３・・・軸受
１４・・・シャフト
【図１】
0003723237.tif 000002
【図２】
0003723237.tif 000003
【図３】
0003723237.tif 000004
【図４】
0003723237.tif 000005
【図５】
0003723237.tif 000006
【図６】
0003723237.tif 000007
【図７】
0003723237.tif 000008
【図８】
0003723237.tif 000009
【図９】
0003723237.tif 000010
【図１０】
0003723237.tif 000011
【図１１】
0003723237.tif 000012